【手続補正書】
【提出日】平成30年5月7日(2018.5.7)
【手続補正１】
【補正対象書類名】特許請求の範囲
【補正対象項目名】全文
【補正方法】変更
【補正の内容】
【特許請求の範囲】
【請求項１】
蒸気圧縮式の冷凍サイクル装置（１０、１０ａ）に適用されるエジェクタであって、
高圧冷媒を流入させる流入空間（３０ａ）、前記流入空間から流出した冷媒を減圧させる回転体形状の減圧用空間（３０ｂ）、前記減圧用空間の冷媒流れ下流側に連通して冷媒吸引口（３１ｂ）から吸引した冷媒を流通させる吸引用通路（１３ｂ）、および前記減圧用空間から噴射された噴射冷媒と前記吸引用通路を介して吸引された吸引冷媒とを流入させる昇圧用空間（３０ｅ）が形成されたボデー（３０）と、
少なくとも一部が前記減圧用空間の内部、および前記昇圧用空間の内部に配置された通路形成部材（３５）と、
前記通路形成部材を変位させる駆動力を出力する駆動機構（３７）と、
前記通路形成部材に連結された円柱状のシャフト（３８）を摺動可能に支持する筒状の支持部材（３９）と、
前記通路形成部材の振動を抑制する振動抑制部材（３７１、４１、４１ａ、４１ｂ）と、を備え、
前記ボデーのうち前記減圧用空間を形成する部位の内周面と前記通路形成部材の外周面との間に形成される冷媒通路は、冷媒を減圧させて噴射するノズルとして機能するノズル通路（１３ａ）であり、
前記ボデーのうち前記昇圧用空間を形成する部位の内周面と前記通路形成部材の外周面との間に形成される冷媒通路は、前記噴射冷媒および前記吸引冷媒を混合させて昇圧させる昇圧部として機能するディフューザ通路（１３ｃ）であり、
前記支持部材の中心軸は、前記減圧用空間の中心軸（ＣＬ）と同軸上に配置されており、
前記減圧用空間の軸方向に垂直な方向から見たときに、前記ボデーに形成されて前記ノズル通路の通路断面積を最も縮小させる喉部（３０ｍ）は、前記支持部材のうち前記シャフトが摺動する摺動領域（３９ａ）と重合する範囲外に配置されており、
前記振動抑制部材は、前記通路形成部材に対して前記ノズル通路の通路断面積を拡大させる方向の荷重を作用させる第１弾性部材（４１ａ）、および前記通路形成部材に対して前記第１弾性部材とは逆方向の荷重を作用させる第２弾性部材（４１、４１ｂ）を有し、
前記第１弾性部材のうち前記通路形成部材に荷重を作用させる可動側の端部を第１可動側端部（ＭＰ１）と定義し、
前記第２弾性部材のうち前記通路形成部材に荷重を作用させる可動側の端部を第２可動側端部（ＭＰ２）と定義し、
前記減圧用空間の軸方向に垂直な方向から見たときに、前記第１可動側端部および前記第２可動側端部は、前記摺動領域と重合する範囲外に配置されており、さらに、前記第１可動側端部および前記第２可動側端部の双方が、前記摺動領域に対して軸方向の同一側であって、かつ、前記喉部が配置される側の反対側に配置されているエジェクタ。
【請求項２】
さらに、前記第１可動側端部および前記第２可動側端部と接触する荷重受け部材（４０）を備え、
前記シャフトおよび前記荷重受け部材およびは、互いに別部材として形成されているとともに、互いに接触するように配置されている請求項１に記載のエジェクタ。
【請求項３】
蒸気圧縮式の冷凍サイクル装置（１０、１０ａ）に適用されるエジェクタであって、
高圧冷媒を流入させる流入空間（３０ａ）、前記流入空間から流出した冷媒を減圧させる回転体形状の減圧用空間（３０ｂ）、前記減圧用空間の冷媒流れ下流側に連通して冷媒吸引口（３１ｂ）から吸引した冷媒を流通させる吸引用通路（１３ｂ）、および前記減圧用空間から噴射された噴射冷媒と前記吸引用通路を介して吸引された吸引冷媒とを流入させる昇圧用空間（３０ｅ）が形成されたボデー（３０）と、
少なくとも一部が前記減圧用空間の内部、および前記昇圧用空間の内部に配置された通路形成部材（３５）と、
前記通路形成部材を変位させる駆動力を出力する駆動機構（３７）と、
前記通路形成部材に連結された円柱状のシャフト（３８）を摺動可能に支持する筒状の支持部材（３９）と、
前記通路形成部材の振動を抑制する振動抑制部材（３７１、４１、４１ａ、４１ｂ）と、を備え、
前記ボデーのうち前記減圧用空間を形成する部位の内周面と前記通路形成部材の外周面との間に形成される冷媒通路は、冷媒を減圧させて噴射するノズルとして機能するノズル通路（１３ａ）であり、
前記ボデーのうち前記昇圧用空間を形成する部位の内周面と前記通路形成部材の外周面との間に形成される冷媒通路は、前記噴射冷媒および前記吸引冷媒を混合させて昇圧させる昇圧部として機能するディフューザ通路（１３ｃ）であり、
前記支持部材の中心軸は、前記減圧用空間の中心軸（ＣＬ）と同軸上に配置されており、
前記減圧用空間の軸方向に垂直な方向から見たときに、前記ボデーに形成されて前記ノズル通路の通路断面積を最も縮小させる喉部（３０ｍ）は、前記支持部材のうち前記シャフトが摺動する摺動領域（３９ａ）と重合する範囲外に配置されており、
前記振動抑制部材は、前記通路形成部材に対して前記ノズル通路の通路断面積を拡大させる方向の荷重を作用させる第１弾性部材（４１ａ）、および前記通路形成部材に対して前記第１弾性部材とは逆方向の荷重を作用させる第２弾性部材（４１、４１ｂ）を有し、
前記第１弾性部材のうち前記通路形成部材に荷重を作用させる可動側の端部を第１可動側端部（ＭＰ１）と定義し、
前記第２弾性部材のうち前記通路形成部材に荷重を作用させる可動側の端部を第２可動側端部（ＭＰ２）と定義し、
前記減圧用空間の軸方向に垂直な方向から見たときに、前記第１可動側端部および前記第２可動側端部は、前記摺動領域と重合する範囲外に配置されており、さらに、前記第１可動側端部および前記第２可動側端部の双方が、前記摺動領域に対して軸方向の同じ側に配置されており、
さらに、前記第１可動側端部および前記第２可動側端部に接触する荷重受け部材（４０）を備え、
前記シャフトおよび前記荷重受け部材は、互いに別部材として形成されているとともに、互いに接触するように配置されているエジェクタ。
【請求項４】
前記荷重受け部材および前記シャフトは、点接触している請求項２または３に記載のエジェクタ。
【請求項５】
前記シャフトの外周面および前記支持部材の内周面のいずれか一方には、他方に向かって突出して接触する突起部（３８１）が形成されている請求項１ないし４のいずれか１つに記載のエジェクタ。
【請求項６】
前記駆動機構は、温度変化に伴って圧力変化する感温媒体が封入された封入空間（３７ａ）を形成する封入空間形成部材（３７２）、前記吸引冷媒を流入させる導入空間（３７ｂ）を形成する導入空間形成部材（３７３）、および前記感温媒体の圧力と前記吸引冷媒の圧力との圧力差に応じて変位する圧力応動部材（３７１ａ）を有し、
前記圧力応動部材は、ゴムにて形成されている請求項１ないし５のいずれか１つに記載のエジェクタ。
【手続補正２】
【補正対象書類名】明細書
【補正対象項目名】００１３
【補正方法】変更
【補正の内容】
【００１３】
上記目的を達成するため、請求項１に記載の発明は、蒸気圧縮式の冷凍サイクル装置（１０、１０ａ）に適用されるエジェクタであって、
高圧冷媒を流入させる流入空間（３０ａ）、流入空間から流出した冷媒を減圧させる回転体形状の減圧用空間（３０ｂ）、減圧用空間の冷媒流れ下流側に連通して冷媒吸引口（３１ｂ）から吸引した冷媒を流通させる吸引用通路（１３ｂ）、および減圧用空間から噴射された噴射冷媒と吸引用通路を介して吸引された吸引冷媒とを流入させる昇圧用空間（３０ｅ）が形成されたボデー（３０）と、少なくとも一部が減圧用空間の内部、および昇圧用空間の内部に配置された通路形成部材（３５）と、通路形成部材を変位させる駆動力を出力する駆動機構（３７）と、通路形成部材に連結された円柱状のシャフト（３８）を摺動可能に支持する筒状の支持部材（３９）と、通路形成部材の振動を抑制する振動抑制部材（３７１、４１、４１ａ、４１ｂ）と、を備え、
ボデーのうち減圧用空間を形成する部位の内周面と通路形成部材の外周面との間に形成される冷媒通路は、冷媒を減圧させて噴射するノズルとして機能するノズル通路（１３ａ）であり、ボデーのうち昇圧用空間を形成する部位の内周面と通路形成部材の外周面との間に形成される冷媒通路は、噴射冷媒および吸引冷媒を混合させて昇圧させる昇圧部として機能するディフューザ通路（１３ｃ）であり、
支持部材の中心軸は、減圧用空間の中心軸（ＣＬ）と同軸上に配置されており、減圧用空間の軸方向に垂直な方向から見たときに、ボデーに形成されてノズル通路の通路断面積を最も縮小させる喉部（３０ｍ）は、支持部材のうちシャフトが摺動する摺動領域（３９ａ）と重合する範囲外に配置されており、
振動抑制部材は、通路形成部材に対してノズル通路の通路断面積を拡大させる方向の荷重を作用させる第１弾性部材（４１ａ）、および通路形成部材に対して第１弾性部材とは逆方向の荷重を作用させる第２弾性部材（４１、４１ｂ）を有し、第１弾性部材のうち通路形成部材に荷重を作用させる可動側の端部を第１可動側端部（ＭＰ１）と定義し、第２弾性部材のうち通路形成部材に荷重を作用させる可動側の端部を第２可動側端部（ＭＰ２）と定義し、
減圧用空間の軸方向に垂直な方向から見たときに、第１可動側端部および第２可動側端部は、摺動領域と重合する範囲外に配置されており、さらに、第１可動側端部および第２可動側端部の双方が、摺動領域に対して軸方向の同一側であって、かつ、前記喉部が配置される側の反対側に配置されているエジェクタである。
【手続補正３】
【補正対象書類名】明細書
【補正対象項目名】００１４
【補正方法】変更
【補正の内容】
【００１４】
これによれば、振動抑制部材（３７１、４１、４１ａ、４１ｂ）を備えているので、エ
ジェクタ（１３、１３０）の防振性能を向上させることができる。
【手続補正４】
【補正対象書類名】明細書
【補正対象項目名】００１７
【補正方法】変更
【補正の内容】
【００１７】
これにより、第１弾性部材（３７１、４１ａ）および第２弾性部材（４１、４１ｂ）がシャフト（３８）に作用させる軸方向に垂直な荷重（すなわち、横力）によって生じる回転モーメントを減少させることができ、シャフト（３８）と支持部材（３９）との摩擦力の増加を抑制することができる。
【手続補正５】
【補正対象書類名】明細書
【補正対象項目名】００２１
【補正方法】変更
【補正の内容】
【００２１】
その結果、請求項１に記載の発明によれば、駆動機構（３７）から出力された駆動力に応じて、ノズル通路（１３ａ）の通路断面積を精度良く変更可能なエジェクタを提供することができる。そして、ノズル通路（１３ａ）におけるエネルギ変換効率の低下を抑制することができる。
また、請求項３に記載の発明は、蒸気圧縮式の冷凍サイクル装置（１０、１０ａ）に適用されるエジェクタであって、
高圧冷媒を流入させる流入空間（３０ａ）、流入空間から流出した冷媒を減圧させる回転体形状の減圧用空間（３０ｂ）、減圧用空間の冷媒流れ下流側に連通して冷媒吸引口（３１ｂ）から吸引した冷媒を流通させる吸引用通路（１３ｂ）、および減圧用空間から噴射された噴射冷媒と吸引用通路を介して吸引された吸引冷媒とを流入させる昇圧用空間（３０ｅ）が形成されたボデー（３０）と、少なくとも一部が減圧用空間の内部、および昇圧用空間の内部に配置された通路形成部材（３５）と、通路形成部材を変位させる駆動力を出力する駆動機構（３７）と、通路形成部材に連結された円柱状のシャフト（３８）を摺動可能に支持する筒状の支持部材（３９）と、通路形成部材の振動を抑制する振動抑制部材（３７１、４１、４１ａ、４１ｂ）と、を備え、
ボデーのうち減圧用空間を形成する部位の内周面と通路形成部材の外周面との間に形成される冷媒通路は、冷媒を減圧させて噴射するノズルとして機能するノズル通路（１３ａ）であり、ボデーのうち昇圧用空間を形成する部位の内周面と通路形成部材の外周面との間に形成される冷媒通路は、噴射冷媒および吸引冷媒を混合させて昇圧させる昇圧部として機能するディフューザ通路（１３ｃ）であり、
支持部材の中心軸は、減圧用空間の中心軸（ＣＬ）と同軸上に配置されており、減圧用空間の軸方向に垂直な方向から見たときに、ボデーに形成されてノズル通路の通路断面積を最も縮小させる喉部（３０ｍ）は、支持部材のうちシャフトが摺動する摺動領域（３９ａ）と重合する範囲外に配置されており、
振動抑制部材は、通路形成部材に対してノズル通路の通路断面積を拡大させる方向の荷重を作用させる第１弾性部材（４１ａ）、および通路形成部材に対して第１弾性部材とは逆方向の荷重を作用させる第２弾性部材（４１、４１ｂ）を有し、第１弾性部材のうち通路形成部材に荷重を作用させる可動側の端部を第１可動側端部（ＭＰ１）と定義し、第２弾性部材のうち通路形成部材に荷重を作用させる可動側の端部を第２可動側端部（ＭＰ２）と定義し、
減圧用空間の軸方向に垂直な方向から見たときに、第１可動側端部および第２可動側端部は、摺動領域と重合する範囲外に配置されており、さらに、第１可動側端部および第２可動側端部の双方が、摺動領域に対して軸方向の同じ側に配置されており、
さらに、第１可動側端部および第２可動側端部に接触する荷重受け部材（４０）を備え、シャフトおよび荷重受け部材は、互いに別部材として形成されているとともに、互いに接触するように配置されているエジェクタである。
これによれば、請求項１に記載の発明と同様の効果を得ることができる。